【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
画像形成装置にて用いられる帯電装置であって、
回転しながら像担持体を帯電する帯電部材と、
前記帯電部材と接触部において接触するブラシ部材と、
を有し、
前記帯電部材が回転する間に、前記帯電部材の長手方向にかかる力を受ける力受け部であって、前記接触部と異なる場所である力受け部において、前記帯電部材が受ける力の前記長手方向成分の力の向きは、前記接触部において前記帯電部材が受ける前記長手方向成分の力の向きと同じになるように前記帯電部材と前記ブラシ部材が配置されることを特徴とする帯電装置。
【請求項２】
前記ブラシ部材は斜毛処理されており、前記接触部において前記帯電部材が受ける前記長手方向成分の力は、前記ブラシ部材が毛倒れすることによって生じることを特徴とする請求項１に記載の帯電装置。
【請求項３】
画像形成装置にて用いられる帯電装置であって、
回転しながら像担持体を帯電する帯電部材と、
前記帯電部材と接触部において接触するブラシ部材と、
を有し、
前記帯電部材が回転する間に、前記帯電部材の長手方向にかかる力を受ける力受け部であって前記接触部と異なる場所である力受け部において、前記帯電部材が受ける力の前記長手方向成分の力の向きは、前記接触部において前記帯電部材と接触する前記ブラシ部材の毛倒れの向きと同じになるように前記帯電部材と前記ブラシ部材が配置されることを特徴とする帯電装置。
【請求項４】
前記力受け部は、前記像担持体の回転軸と前記帯電部材の回転軸とが交差した状態で前記帯電部材と前記像担持体が当接する当接部であることを特徴とする請求項１乃至３のいずれか一項に記載の帯電装置。
【請求項５】
前記帯電部材と係合する第１のハス歯ギアを備え、
前記力受け部は、第１のハス歯ギアであることを特徴とする請求項１乃至４のいずれか一項に記載の帯電装置。
【請求項６】
画像形成装置に装着可能なプロセスカートリッジであって、
像担持体と、
回転しながら前記像担持体を帯電する帯電部材と、
前記帯電部材と接触部において接触するブラシ部材と、
を有し、
前記帯電部材が回転する間に、前記帯電部材の長手方向にかかる力を受ける力受け部であって前記接触部と異なる場所である力受け部において前記帯電部材が受ける力の前記長手方向成分の力の向きは、前記接触部において前記帯電部材が受ける前記長手方向成分の力の向きと同じになるように前記帯電部材と前記ブラシ部材が配置されることを特徴とするプロセスカートリッジ。
【請求項７】
前記ブラシ部材は斜毛処理されており、前記接触部において前記帯電部材が受ける前記長手方向成分の力は、前記ブラシ部材が毛倒れすることによって生じることを特徴とする請求項６に記載のプロセスカートリッジ。
【請求項８】
画像形成装置に装着可能なプロセスカートリッジであって、
像担持体と、
回転しながら前記像担持体を帯電する帯電部材と、
前記帯電部材と接触部において接触するブラシ部材と、
を有し、
前記帯電部材が回転する間に、前記帯電部材の長手方向にかかる力を受ける力受け部であって前記接触部と異なる場所である力受け部において前記帯電部材が受ける力の前記長手方向成分の力の向きは、前記接触部において前記帯電部材と接触する前記ブラシ部材の毛倒れの向きと同じになるように前記帯電部材と前記ブラシ部材が配置されることを特徴とするプロセスカートリッジ。
【請求項９】
前記力受け部は、前記像担持体の回転軸と前記帯電部材の回転軸とが交差した状態で前記帯電部材と前記像担持体が当接する当接部であることを特徴とする請求項６乃至８のいずれか一項に記載のプロセスカートリッジ。
【請求項１０】
前記帯電部材と係合する第１のハス歯ギアを備え、
前記力受け部は、第１のハス歯ギアであることを特徴とする請求項６乃至９のいずれか一項に記載のプロセスカートリッジ。
【請求項１１】
前記像担持体と係合する第２のハス歯ギアを備え、
前記第２のハス歯ギアが前記第１のハス歯ギアに駆動力を伝達することで、前記像担持体は前記長手方向の力を受け、前記第２のハス歯ギアで受ける力の前記長手方向の成分は、前記帯電部材が前記力受け部で受ける力の前記長手方向成分の力と同じ向きであることを特徴とする請求項１０に記載のプロセスカートリッジ。
【請求項１２】
像担持体と、
回転しながら前記像担持体を帯電する帯電部材と、
前記帯電部材と接触部において接触するブラシ部材と、
を有し、
前記帯電部材が回転する間に、前記帯電部材の長手方向にかかる力を受ける力受け部であって前記接触部と異なる場所である力受け部において前記帯電部材が受ける力の前記長手方向成分の力の向きは、前記接触部において前記帯電部材が受ける前記長手方向成分の力の向きと同じになるように前記帯電部材と前記ブラシ部材が配置されることを特徴とする画像形成装置。
【請求項１３】
前記ブラシ部材は斜毛処理されており、前記接触部において前記帯電部材が受ける前記長手方向成分の力は、前記ブラシ部材が毛倒れすることによって生じることを特徴とする請求項１２に記載の画像形成装置。
【請求項１４】
像担持体と、
回転しながら前記像担持体を帯電する帯電部材と、
前記帯電部材と接触部において接触するブラシ部材と、
を有し、
前記帯電部材が回転する間に、前記帯電部材の長手方向にかかる力を受ける力受け部であって前記接触部と異なる場所である力受け部において前記帯電部材が受ける力の前記長手方向成分の力の向きは、前記接触部において前記帯電部材と接触する前記ブラシ部材の毛倒れの向きと同じになるように前記帯電部材と前記ブラシ部材が配置されることを特徴とする画像形成装置。
【請求項１５】
前記力受け部は、前記像担持体の回転軸と前記帯電部材の回転軸とが交差した状態で前記帯電部材と前記像担持体が当接する当接部であることを特徴とする請求項１２乃至１４のいずれか一項に記載の画像形成装置。
【請求項１６】
前記帯電部材と係合する第１のハス歯ギアを備え、
前記力受け部は、第１のハス歯ギアであることを特徴とする請求項１２乃至１５のいずれか一項に記載の画像形成装置。
【請求項１７】
前記像担持体と係合する第２のハス歯ギアを備え、
前記第２のハス歯ギアが前記第１のハス歯ギアに駆動力を伝達することで、前記像担持体は前記長手方向の力を受け、前記第２のハス歯ギアで受ける力の前記長手方向の成分は、前記帯電部材が前記力受け部で受ける力の前記長手方向成分の力と同じ向きであることを特徴とする請求項１６に記載の画像形成装置。
【請求項１８】
前記像担持体に現像剤を供給して前記像担持体に現像剤像を形成する現像装置を有することを特徴とする請求項１２乃至１４のいずれか一項に記載の画像形成装置。
【請求項１９】
前記現像装置は、画像形成に使用されず前記像担持体に残留した現像剤を回収することを特徴とする請求項１８に記載の画像形成装置。
【請求項２０】
前記現像剤は一成分現像剤であることを特徴とする請求項１８または１９に記載の画像形成装置。
【手続補正２】
【補正対象書類名】明細書
【補正対象項目名】０００９
【補正方法】変更
【補正の内容】
【０００９】
上記目的を達成するための本発明の代表的な構成は、
画像形成装置にて用いられる帯電装置であって、
回転しながら像担持体を帯電する帯電部材と、前記帯電部材と接触部において接触するブラシ部材と、
を有し、
前記帯電部材が回転する間に、前記帯電部材の長手方向にかかる力を受ける力受け部であって前記接触部と異なる場所である力受け部において、前記帯電部材が受ける力の前記長手方向成分の力の向きは、前記接触部において前記帯電部材が受ける前記長手方向成分の力の向きと同じになるように前記帯電部材と前記ブラシ部材が配置されることを特徴とする。